(57)【要約】【課題】大画面表示機能と小画面表示機能とを有する携帯電子機器を操作するユーザが操作上の違和感や不便さを感じることのない利便性の高い携帯電子機器を提供する。【解決手段】携帯電子機器は、第一筐体と第二筐体とを具備する。第一筐体は、制御部、第一表示領域及び第二表示領域を有する表示部、第一バックライト、第二バックライト、及び第一筐体が収納されるか否かを検出する検出部を含む。第一筐体が収納されると第一表示部のみが露出する。第二筐体は、制御部に接続された操作部と、レリーズ機構を作動させるレリーズボタンとを含む。第一筐体が収納されていることが検出されると、制御部は、第一表示領域を駆動するとともに第一バックライトを点灯させる。レリーズ機構の作動により第一筐体が押し出されると、制御部は、第一表示領域及び第二表示領域を駆動するとともに第一バックライト及び第二バックライトを点灯させる。【選択図】図２
2008263332.tif 000002
【特許請求の範囲】
【請求項１】
第一筐体と、前記第一筐体に接続され前記第一筐体の一部を収納可能な第二筐体とを具備する携帯電子機器において、
前記第一筐体は、制御部と、第一表示領域及び第二表示領域を有する表示部と、前記第一表示領域を照明するための少なくとも１つの第一バックライトと、前記第二表示領域を照明するための少なくとも１つの第二バックライトと、前記第一筐体が前記第二筐体に収納されているか否かを検出する検出部とを含み、前記第一筐体が前記第二筐体に収納されると前記表示部のうち前記第一表示部のみが露出するように構成され、
前記第二筐体は、前記制御部に接続された操作部と、前記第一筐体を前記第二筐体から押し出すレリーズ機構を作動させるためのレリーズボタンとを含み、
前記第一筐体が前記第二筐体内に収納されていることを前記検出部が検出したことに応答して、前記制御部は、前記第一表示領域を駆動するとともに前記第一バックライトを点灯させ、
前記レリーズ機構の作動により前記第一筐体が押し出されたことを前記検出部が検出したことに応答して、前記制御部は、前記第一表示領域及び前記第二表示領域を駆動するとともに前記第一バックライト及び前記第二バックライトを点灯させる携帯電子機器。
【請求項２】
前記制御部は、前記第一筐体が前記第二筐体内に収納されている場合、前記操作部の所定の一部のキーの操作にのみ反応するように構成される請求項１に記載の携帯電子機器。
【請求項３】
前記制御部は、前記第一筐体が前記第二筐体内に収納されている場合、前記携帯電子機器の機能のうち所定の一部の機能のみに対応するメニューを前記第一表示領域に表示するように構成される請求項１に記載の携帯電子機器。
【請求項４】
前記制御部は、前記第一筐体が前記第二筐体内に収納されている場合に前記第二表示領域を使用する機能の起動が指示されたことに応答して、前記レリーズボタンを作動させる請求項１に記載の携帯電子機器。
【請求項５】
前記制御部は、前記第二表示領域を使用する機能が起動している場合に前記第一筐体が前記第二筐体内に収納されたことに応答して、前記起動している機能を終了させる請求項１に記載の携帯電子機器。
【請求項６】
前記携帯電子機器は移動通信端末であり、
前記第一筐体は、アンテナと、前記アンテナ及び前記制御部に接続された無線通信回路をさらに含む請求項１に記載の携帯電子機器。
【発明の詳細な説明】
【技術分野】
【０００１】
本発明は携帯電子機器に関し、より詳細には、表示部を具備する筐体を操作部を具備する筐体に収納した状態で使用したり、表示部を具備する筐体を操作部を具備する筐体から引き出した状態で使用したりすることが可能な携帯電子機器に関する。
【背景技術】
【０００２】
携帯型の電子機器は広く普及している。このような電子機器の例としては、ラップトップ型のパーソナルコンピュータ（ＰＣ）、携帯情報端末（ＰＤＡ）、ＰＨＳ（Ｐｅｒｓｏｎａｌ  Ｈａｎｄｙｐｈｏｎｅ  Ｓｙｓｔｅｍ）端末及び携帯電話端末等の移動通信端末のほか、携帯オーディオプレーヤ、あるいは携帯ゲーム機などが挙げられる。これらの携帯電子機器はユーザが場所を選ばず使用できるという点で固定型の機器と比較して便利である。
【０００３】
携帯型の移動通信端末の使用の際には、インターネット上の様々なウェブサイトにアクセスし、端末の表示画面上に情報を表示したり、作成中の電子メールを端末画面上に表示しながら編集することが一般的である。したがって、ユーザは比較的大きな表示画面を持つ移動通信端末を好む傾向にある。このため、操作部を具備する筐体を表示部を具備する筐体に対してスライドさせることができる端末が提案されている（例えば、特許文献１参照）。このような構成によれば、大画面表示を必要とする場合にのみ、操作部側の筐体をスライドさせて表示部全体を露出させればよい。
【０００４】
また、前面に各種の操作キーを有する操作部を搭載し且つ頂部に開口を有する箱状の筐体と、当該筐体の内部に収納可能な表示部とからなる携帯電話装置が提案されている（例えば、特許文献２参照）。特許文献２の装置は、表示部を筐体内に完全に収容した状態で、筐体に設けた表示窓から表示部の一部が見えるように構成されている。このような構成によれば、表示部側の筐体を引き出して表示部を完全に露出させることで大画面表示が可能となる一方、表示部を筐体内に収納した状態で表示部の一部に表示される情報を視認できる。
【０００５】
しかし、特許文献１及び特許文献２に記載の端末においては、表示部を操作部側の筐体に収納している場合であっても表示部全体が駆動される。このため、表示部収納時の消費電力が通常使用時と同様に大きいという問題があった。
【０００６】
これに対して、液晶表示部を保護するための蓋をスライド式で開閉可能なように構成し、当該蓋の開閉の状態を蓋位置検出手段によって検出し、検出された蓋位置に応じて液晶表示部のバックライトのうち必要な部分のみをオンする携帯端末が提案されている（例えば、特許文献３参照）。このような構成によれば、上述の消費電力の問題を解決することが可能である。
【特許文献１】特開２００３−３０９６３１号公報
【特許文献２】特開２００３−３３３１４０号公報
【特許文献３】特開平１１−３５３２８３号公報
【発明の開示】
【発明が解決しようとする課題】
【０００７】
しかし、特許文献３の携帯端末によれば、ユーザは、所望の表示態様で端末を使用するために蓋位置を適切に調整しなければならない。例えば、特許文献３が大画面表示と小画面表示の二通りの表示機能を有する場合、ユーザは、大画面表示から小画面表示に切り替えるために、蓋位置を所定の閾値を越えた位置となるよう手動で調整する必要がある。このような作業はスムーズな端末操作の妨げとなる。
【０００８】
また、特許文献３の携帯端末によれば、ユーザは、小画面表示時にブラウザを起動したい場合等、大画面表示への切り替えが必要となった場合に、蓋位置を手動で調整して、蓋位置検出手段が動作する所定位置まで動かさなければならない。ブラウザの使用後に小画面表示に戻したい場合にも同様の手間がかかる。したがって、端末操作上利便性に欠ける。
【０００９】
本発明は、大画面表示機能と小画面表示機能とを有する携帯電子機器を操作するユーザが操作上の違和感や不便さを感じることのない、より利便性の高い携帯電子機器を提供することを目的としている。
【課題を解決するための手段】
【００１０】
本発明の携帯電子機器は、第一筐体と、第一筐体に接続され、第一筐体の一部を収納可能な第二筐体とを具備するように構成される。第一筐体は、制御部と、第一表示領域及び第二表示領域を有する表示部と、第一表示領域を照明するための少なくとも１つの第一バックライトと、第二表示領域を照明するための少なくとも１つの第二バックライトと、第一筐体が前記第二筐体に収納されているか否かを検出する検出部とを含む。第一筐体が第二筐体に収納されると表示部のうち第一表示部のみが露出する。第二筐体は、制御部に接続された操作部と、第一筐体を第二筐体から押し出すレリーズ機構を作動させるためのレリーズボタンとを含む。第一筐体が第二筐体内に収納されていることを検出部が検出したことに応答して、制御部は、第一表示領域を駆動するとともに第一バックライトを点灯させる。また、レリーズ機構の作動により第一筐体が押し出されたことを検出部が検出したことに応答して、制御部は、第一表示領域及び第二表示領域を駆動するとともに第一バックライト及び第二バックライトを点灯させる。
【００１１】
上記構成において、制御部は、第一筐体が第二筐体内に収納されている場合に、操作部の所定の一部のキーの操作にのみ反応するように構成されてもよい。
【００１２】
制御部は、第一筐体が第二筐体内に収納されている場合において、携帯電子機器の機能のうち所定の一部の機能のみに対応するメニューを第一表示領域に表示するように構成されてもよい。
【００１３】
制御部は、第一筐体が第二筐体内に収納されている場合に第二表示領域を使用する機能の起動が指示されたことに応答して、レリーズボタンを作動させるように構成されてもよい。
【００１４】
制御部は、第二表示領域を使用する機能が起動している場合に第一筐体が第二筐体内に収納されたことに応答して、起動している機能を終了させるように構成されてもよい。
【００１５】
本発明の携帯電子機器は移動通信端末として構成することができる。この場合、第一筐体は、アンテナと、当該アンテナ及び制御部に接続された無線通信回路とをさらに含む。
【発明の効果】
【００１６】
本発明によれば、大画面表示機能と小画面表示機能とを有する携帯電子機器を操作するユーザが操作上の違和感や不便さを感じることのない、より利便性の高い携帯電子機器が実現できる。さらに、表示領域の変化に伴い必要なＬＣＤバックライト光源を選択的に制御することが可能となり、端末の消費電力の低減を図ることができる。
【発明を実施するための最良の形態】
【００１７】
本発明の携帯電子機器の一実施例として、移動通信端末１００の外観斜視図を図１に示す。以下、本明細書においては本発明を特に移動通信端末に適用した具体例について詳細に説明するが、本発明は移動通信端末に限定されない。液晶表示装置（ＬＣＤ）等の表示部と操作部とを有する各種の電子機器にも本発明を適用し得ることは当業者にとって明らかであろう。
【００１８】
移動通信端末１００は、互いに接続された第一筐体２００と第二筐体３００とを具備する。第二筐体３００は第一筐体２００を収容するための開口部を有する。第一筐体２００及び第二筐体３００は、これら２つの筐体を互いに対してスライドさせるためのスライド機構を両側面に有している。このような構成により、表示部２３４を有する第一筐体２００の一部が第二筐体３００内に収納可能となっている。図１Ａは第一筐体２００を第二筐体３００に収納した状態の斜視図を示す。第一筐体２００は表示部２３４の一部が露出した状態で収納される。図１Ｂは第一筐体２００が第二筐体３００から引き出された状態の斜視図を示す。図示されるように、第一筐体２００は表示部２３４とスピーカ２４２とを具備し、第二筐体３００はレリーズボタン３０２及びマイク３０８を具備している。第一筐体２００及び第二筐体３００の構成の詳細については後述する。図１Ｂの状態において表示部２３４の全面が露出する。移動通信端末１００は、表示部２３４のうち図１Ｂにおいて露出する部分の面積が、図１Ａにおいて露出する部分の面積と比較して、例えば約３倍程度の大きさを持つように構成してもよい。
【００１９】
移動通信端末１００の構成のブロック図を図２に示す。第一筐体２００は、無線信号の送受信を行うためのアンテナ２０２、アンテナ２０２に接続されたアンテナ・スイッチ２０４、アンテナ・スイッチ２０４に接続された送信部２０６及び受信部２０８、変調部２１０及び復調部２１２、時分割多元接続（ＴＤＭＡ）符号化部２１４及びＴＤＭＡ復号化部２１６、ＡＤＰＣＭトランスコーダ等の音声用トランスコーダ２１８、ＰＣＭコーデック等の音声符号化／復号化部２１９及び制御部２２０を具備する。第一筐体２００は、さらに、ＲＯＭ２２６、ＲＡＭ２２８、フラッシュメモリ２３０、第一筐体２００が第二筐体３００に収納されているか否かを検知する検出部２３２、液晶表示装置等の表示部２３４、表示部２３４用のバックライト２３６及び電源２３８を具備し、これらは制御部２２０に接続されている。検出部２３２は、第一筐体２００が第二筐体３００内に収納された安定状態となっているか否かを検出する検出部２３２Ａと、第一筐体２００が第二筐体３００から露出して表示部２３４の全体が露出した別の安定状態となっているか否かを検出する検出部２３２Ｂとを具備するように構成されてもよい。第一筐体２００は、さらに音声符号化／復号化部２１９に接続されたスピーカ２４２等の音声出力部を具備してもよい。第一筐体２００はまた、ＵＳＢ端子２２２、ＬＥＤ等の発光部２２４、カメラ２４０等を具備してもよい。
【００２０】
アンテナ・スイッチ２０４、送信部２０６及び受信部２０８、変調部２１０及び復調部２１２、ＴＤＭＡ符号化部２１４及びＴＤＭＡ復号化部２１６は、第一筐体２００の無線通信機能に関わる無線通信回路を構成する。第一筐体２００はフラッシュメモリ２３０に電話帳データ等を格納してもよい。ＲＯＭ２２６は移動通信端末１００の電話番号や端末機器番号等を格納している。
【００２１】
第二筐体３００には、第二筐体３００内に収納された第一筐体２００を押し出すためのレリーズボタン３０２、電源端子３０４、キーパッド等を含む操作部３０６及びマイク３０８等の音声入力部を具備している。
【００２２】
第一筐体２００は、第二筐体３００の左右に設けられた後述する第一ガイド部及び第二ガイド部に沿って上下に移動可能な構成となっている。第一筐体２００を第二筐体３００に向かって押し込むことにより、第一筐体２００は第二筐体３００内に収納され、ラッチ機構によって双方の筐体がラッチされた安定状態となる。この状態において、レリーズボタン３０２を操作すると、上記ラッチ機構が解除される。その結果、第一筐体２００は第二筐体３００に組み込まれたばね等の弾性機構により上方に付勢され、ラッチされた安定状態となる。移動通信端末１００は、このような第一ガイド部、第二ガイド部、ラッチ機構、弾性機構及びレリーズボタン３０２からなるレリーズ機構を有している。
【００２３】
電源端子３０４及び操作部３０６は、第一筐体２００と第二筐体３００との間の接続部４００を介して第一筐体２００の制御部２２０に接続されている。マイク３０８は第一筐体の音声符号化／復号化部２１９に接続されている。レリーズボタン３０２は制御部２２０に接続されてもよく、レリーズボタン３０２が操作された際に制御部２２０がこれを検知できるように構成してもよい。また、制御部２２０からの制御によりレリーズボタン３０２を作動させて第一筐体２００を第二筐体３００から押し出すことができるように構成してもよい。
【００２４】
制御部２２０は、操作部３０６を介して打ち込まれた文字を第一筐体２００の表示部２３４に表示する。図２において、移動通信端末１００は、第二筐体３００内にばね等の弾性機構を具備し、第一筐体２００が第二筐体３００内に収納された状態でレリーズボタン３０２が押下された場合に当該弾性機構により第一筐体２００が付勢されるように構成されてもよい。また、移動通信端末１００は、レリーズボタン３０２の押下に応答して第一筐体２００を電動式に押し出したり収納したりする機構を具備してもよい。
【００２５】
第一筐体と第二筐体とを接続する接続部４００は様々な構成により実現可能である。例えば、本発明の移動通信端末１００は、第一筐体２００及び第二筐体３００の側面にスライド機構を具備しているので、当該スライド部分を両筐体の接点として利用してもよい。また、フレキシブル基板を利用して第一筐体２００と第二筐体３００とを接続してもよい。この場合、当該フレキシブル基板は、第一筐体２００が第二筐体３００に収納されている場合に、第一筐体２００の外側底部と第二筐体３００の内側底部との間のスペースに格納される。また、第一筐体２００と第二筐体３００とは、近距離無線通信方式により接続されてもよい。この場合、接続部４００は、第一筐体２００に設けられ当該近距離無線通信方式に準拠した無線送受信部と、第二筐体３００に設けられ当該近距離無線通信方式に準拠した無線送受信部とを具備する。
【００２６】
音声通話の際、ユーザの音声はマイク３０８及び接続部４００を介して第一筐体２００の音声符号化／復号化部２１９へ入力されてパルス符号変調される。符号化された音声信号は音声用トランスコーダ２１８へ入力される。音声用トランスコーダ２１８の出力信号は、ＴＤＭＡ符号化部２１４において時分割多元接続（ＴＤＭＡ）用ベースバンド信号に符号変換され、さらに変調部２１０、送信部２０６、アンテナ・スイッチ２０４及びアンテナ２０２を介して無線伝送される。
【００２７】
操作部３０６のキーパッド等から入力された文字等のデータは接続部４００を介して第一筐体２００の制御部２２０に入力される。例えば、電子メール作成時には、制御部２２０は、入力された文字を表示部２２８に表示する。作成された電子メールは、制御部２２０からＴＤＭＡ符号化部２１４に入力され、音声信号と同様に無線伝送される。
【００２８】
一方、アンテナ２０２において受信された信号は、アンテナ・スイッチ２０４により受信部２０８へ入力される。この受信信号（例えば、１．９ＧＨｚ帯）は、受信部２０８において増幅及び周波数変換され、ついで復調部２１２でＴＤＭＡベースバンド信号に復調された後、ＴＤＭＡ復号化部２１６により復号化される。ＴＤＭＡ復号化部２１６から出力された音声信号は音声用トランスコーダ２１８へ入力されてＰＣＭ音声信号として出力される。ＰＣＭ音声信号は、音声符号化／復号化部２１９に入力され、アナログ信号に変換されてスピーカ２４２を介して出力される。一方、ＴＤＭＡ復号化部２１６から出力されたデータ信号は制御部２２０へと入力され、必要に応じて表示部２３４に表示されたりする。
【００２９】
第一筐体２００が第二筐体３００内に収納された状態を示す模式図を図３に示す。ここで表示部２３４はＬＣＤであり、当該ＬＣＤ及びスピーカ２４２が第一筐体２００の前面に配置されているものとする。また、第二筐体３００において、操作部３０６（図示せず）及びマイク３０８がその前面に配置されているものとする。
【００３０】
第一筐体２００は、さらに、第二筐体３００の左右に設けられた第一ガイド部３１０及び第二ガイド部３１２に沿って上下に移動可能な構成となっている。第一筐体２００を第二筐体３００に向かって押し込むことにより、第一筐体２００は第二筐体３００内に収納され、ラッチ機構（図示せず）によって双方の筐体がラッチされた安定状態となる。以下、この安定状態を「第一の状態」と呼ぶ。
【００３１】
第二筐体３００の前面には、第二筐体３００の上端部から所定寸法の切り欠き部２４４が設けられている。第一の状態において、切り欠き部２４４から第一筐体２００に設けられたスピーカ２４２及びＬＣＤパネルの上部所定領域が露出する。以下、第一の状態において露出するＬＣＤパネルの上部所定領域を「第一表示領域」という。この際、ＬＣＤパネルの下部領域は第二筐体３００の前面部分によって遮蔽される。以下、第一の状態において遮蔽されるＬＣＤパネルの当該下部領域を「第二表示領域」という。
【００３２】
詳細は後述するが、移動通信端末１００は、第一の状態においては第一表示領域を使用して情報の表示を行い、第二表示領域を使用しない。第一筐体２００内に配置された検出部２３２は、移動通信端末１００が第一の状態にあるか否かを検出し、検出結果を制御部２２０に知らせる。検出部２３２は、例えばリミットスイッチ等の機械接触子によるものの他、磁気センサ、光センサ等、当業者には周知の技術に基づいて適宜構成可能である。
【００３３】
第一状態において露出したＬＣＤパネルの第一表示領域２３４Ａには、電界強度を示す情報（アンテナマーク）、時刻情報、着信表示等、移動通信端末１００の動作状態を示す情報が表示される。また、移動通信端末１００が電子メール送受信機能を有しており、電子メールの着信があった場合は、当該着信メールのヘッダー部分（タイトル、発信者等）が第一表示領域２３４Ａに表示される。
【００３４】
第一筐体２００が第二筐体３００から押し出された状態（ポップアップされた状態）を示す模式図を図４に示す。上述の第一の状態において、レリーズボタン３０２を操作すると、上記ラッチ機構が解除される。その結果、第一筐体２００は第二筐体３００に組み込まれた上述のようなばね等の弾性機構により上方に付勢され、ラッチされた安定状態となる。また、第一筐体２００と第二筐体３００とを接続するスライド機構が電動式の機構として構成されていてもよい。この場合、第一の状態においてレリーズボタン３０２が押下されると、これに応答して制御部２２０が当該電動機構を作動させて第一筐体２００を押し出す。以下、この状態を「第二の状態」と呼ぶ。
【００３５】
第二の状態においては、第一筐体２００に設けられたＬＣＤパネルの全面が、第二筐体３００の切り欠き部２４４から完全に露出する。検出部２３２は、移動通信端末１００が第二の状態に移行したことを検出して制御部２２０に知らせる。
【００３６】
詳細については後述するが、移動通信システム１００は、第二の状態においては第一表示領域２３４Ａ及び第二表示領域２３４Ｂの両方（すなわち、ＬＣＤパネル２３４の全面）を使用して表示を行う。
【００３７】
図３及び図４に示すような構成により、例えば、第一の状態において電子メールの着信を知ったユーザは、レリーズボタン３０２を操作して移動通信端末１００を第二の状態に移行させることにより、全体が露出したＬＣＤパネルに当該着信メールの本文を表示してこれを読むことが可能となる。
【００３８】
ＬＣＤパネル組み立て部の構成を図５に示す。ここで、ＬＣＤパネル組み立て部２４６は、ＬＣＤパネル（表示部）２３４とその背後に配置されたバックライト２３６とを含む。バックライト２３６は複数の光源を含むように構成され、例えば、白色発光ダイオード（ＬＥＤ）２３６Ａ乃至２３６Ｄ等の複数の光源を端部に配置したライトガイドを用いて、当業者に周知の技術によって構成される。
【００３９】
本実施例では、第一の状態において切り欠き部２４４から露出されるＬＣＤパネルの第一表示領域２３４Ａは、例えばバックライト２３６Ａ及び２３６Ｂ（第一バックライト）によって照明され、第二表示領域はバックライト２３６Ｃ及び２３６Ｄ（第二バックライト）によって照明される。従って、第一の状態においては、バックライト２３６Ａ及びバックライト２３６Ｂを点灯すれば、ＬＣＤパネルの第一表示領域を照明するに充分であり、バックライト２３６Ａ乃至２３６Ｄの全てを点灯する必要はない。一方、第二の状態においては全てのバックライトを点灯する必要がある。
【００４０】
ＬＣＤパネルのバックライト２３６の制御を行うための構成を図６に詳細に示す。バックライト駆動部２４８は、電源２３８から供給される起電力を、並列接続されたバックライト２３６Ａ乃至２３６Ｄを駆動するために適当な電圧並びに電流に変換するためのチャージポンプ２５０と電流駆動源２５２とを含む。バックライト駆動部２４８は、制御部２２０からバックライト駆動部制御信号線２５３を介して発給されるバックライト駆動部制御信号に従ってバックライト２３６Ａ乃至２３６Ｄを点灯する。
【００４１】
制御部２２０は、当業者にとって周知の技術により、表示信号線２５４を介して表示情報をＬＣＤパネル２３４の表示バッファに順次送出する。
【００４２】
ここで、ＬＣＤパネル２３４の第二表示領域２３４Ｂを照明する際に必要となるバックライト２３６Ｃ及びバックライト２３６Ｄは、ＭＯＳトランジスタ等により構成されるバックライト・スイッチ２５６を介してチャージポンプ２５０に接続される。制御部２２０から発給されるバックライト・スイッチ制御信号を介してバックライト・スイッチ２５６を制御することにより、バックライト２３６Ａ及び２３６Ｂのみを点灯するか、バックライト２３６Ａ乃至２３６Ｄの全てを点灯するかを選択することができる。バックライト・スイッチ２５６として図示されるようなｎチャネルＭＯＳトランジスタを用いた場合、バックライト・スイッチ制御信号線２５８をハイ（ＨＩＧＨ）に設定すればバックライト２３６Ａ乃至２３６Ｄは全点灯の状態となり、ロー（ＬＯＷ）に設定すればバックライト２３６Ａ及び２３６Ｂのみの部分点灯となる。
【００４３】
第一筐体２００が第二筐体３００に収納され、移動通信端末１００が第一状態となると、第一の状態を検出する検出部２３２Ａが閉結する。これにより、制御部２２０は第一筐体２００及び第二筐体３００の機械的関係が第一の状態であることを検知する。第一の状態において、制御部２２０はバックライト・スイッチ制御信号線２５８をローに設定し、バックライト２３６のうち、第一表示領域２３４Ａに対応するバックライト２３６Ａ及び２３６Ｂのみを点灯可能とし、バックライト２３６Ｃ及びバックライト２３６Ｄを点灯しないように制御する。
【００４４】
一方、レリーズボタン３０２の操作により第一筐体２００が第二筐体３００からポップアップされて、移動通信端末１００が上述の第二の状態に移行すると、第二の状態を検出する検出部２３２Ｂが閉結する。これにより、制御部２２０は第一筐体２２０及び第二筐体３００の機械的関係が第二の状態であることを検知する。第二の状態において、制御部２２０はバックライト・スイッチ制御信号線２５８をハイに設定し、バックライト２３６を構成するバックライト２３６Ａ乃至２３６Ｄを全て点灯可能となるように制御する。
【００４５】
以上の構成により、本実施例の移動通信端末１００は、使用すべき表示領域の変化に伴って、必要なＬＣＤバックライト光源を選択的に制御することが可能となり、電源の節電が可能となる。
【００４６】
移動通信端末１００は、第一筐体２００が収納されているか否か（すなわち、端末が第一の状態と第二の状態のいずれの状態にあるか）に応じて、表示部２３４の表示方式を自動的に変更したり、操作部３０６の一部のみを操作可能としたり、表示部２３４に表示されるメニューの種類を変更したりする。また、移動通信端末１００は、第一筐体２００が第二筐体３００内に収納されたり第二筐体３００から押し出されたりすることに応答して、所定の機能を実行する。例えば、移動通信端末１００は、着信時に第一筐体２００が押し出されると、これに応答して発呼端末との間で通話接続を行う。さらに、移動通信端末１００は、所定の機能の実行が指示されたことに応答して、レリーズボタン３０２を作動させて第一筐体２００を第二筐体３００から自動的に押し出すように構成してもよい。
【００４７】
以下において、使用の際の移動通信端末１００の動作を具体的に説明する。表示部２３４はＬＣＤパネルとして構成されていると仮定する。移動通信端末１００の動作フローの一例を図７に示す。図７の動作フローは、第一筐体２００が収納されているか否かに応じて制御部２２０が所定の機能を実行する様子を示している。
【００４８】
ユーザが端末１００の電源を入れると（ステップ７０２）、検出部２３２が起動する（ステップ７０４）。検出部２３２は、第一筐体２００が第二筐体３００に収納されているか否か（すなわち、第一の状態であるか否か）を検出する（ステップ７０６）。第一筐体２００が収納されている場合（ステップ７０６の「はい」）、検出部２３２はその旨を示す信号を制御部２２０に送信する。制御部２２０は、当該信号に応答して、表示部２３４の第一表示領域２３４Ａを駆動する（ステップ７０８）。例えば、制御部２２０は、図６に示すような構成により、第一表示領域を構成する液晶セルのみを駆動するとともにバックライト２３６Ａ及び２３６Ｂのみを動作させる。このとき第二表示領域を構成する液晶セルは駆動されず、バックライト２３６Ｃ及び２３６Ｄは作動しない。制御部２２０はまた、第一表示領域２３４Ａに初期メニューを表示するようにしてもよい。当該初期メニューは、第二の状態において表示部２３４に表示される初期メニューとは異なり、第一の状態において起動できるメニューのみを含む簡易なものとしてもよい。このような初期メニューの設定は、第一筐体２００の記憶部（ＲＯＭ２２６やＲＡＭ２２８）に格納されており、必要に応じて制御部２２０により参照される。これにより、第一の状態において不要な機能に関するメニューを表示せずにすみ、ユーザが所望の機能を迅速に実行できるようになる。
【００４９】
制御部２２０は、操作部３０６のキーのうち第一の状態において必要な一部のキーのみを使用可能とし、その他のキーが押下されても反応しないように構成することができる。例えば、図７のステップ７０８に示したように、制御部２２０は、音声通話に使用されるキーが押下された場合にのみ反応するように構成されてもよい。第一の状態において使用可能とすべきキーの設定は、第一筐体２００の記憶部（ＲＯＭ２２６やＲＡＭ２２８）に格納されており、必要に応じて制御部２２０により参照される。
【００５０】
ユーザが操作部３０６の所定のキーを操作したり電話帳データから選択したりすることにより宛先の電話番号を入力すると、入力された電話番号は制御部２２０に伝えられ、制御部２２０はこれを表示部２３４に表示する。このとき制御部２２０は第一筐体２００が収納されていることをステップ７０６において既に認識している。制御部２２０は、第一表示領域２３４Ａに対応する液晶セルのみを駆動し、バックライト２３６Ａ及び２３６Ｂのみを作動させ、第一表示領域２３４Ａに電話番号を表示する。この状態で発信キーを押すことにより発呼がなされる。
【００５１】
電源ＯＮ時に第一筐体２００が収納されていない場合（ステップ７０６の「いいえ」）、検出部２３２はその旨を示す信号を制御部２２０に送信する。当該信号に応答して、制御部２２０は、表示部２３４の第一表示領域２３４Ａ及び第二表示領域２３４Ｂの両方を駆動する（ステップ７２０）。例えば、制御部２２０は、図６に示すような構成により、両表示領域を構成する液晶セルのみを駆動するとともにバックライト２３６Ａ乃至２３６Ｄの全てを動作させる。制御部２２０はまた、表示部２３４に初期メニューを表示してもよい。この場合の初期メニューは、第一の状態におけるメニューとは異なり、全ての機能に対応したメニューを含む。これにより、第二の状態において、ユーザは電子メールの作成やブラウザの起動など、大画面表示を利用して行う所望の機能を実行できる。また、制御部２２０は、操作部３０６のキーの全てのキーを使用可能とする。
【００５２】
再びステップ７０８に戻って説明を続ける。第一の状態においてユーザがレリーズボタン３０２を押下すると（ステップ７１０の「はい」）、スライド機構が作動し、第一筐体２００は第二筐体３００から押し出される（ステップ７１２）。制御部２２０はこれを検知し、検出部２３２を起動する（ステップ７１４）。第一筐体２００が収納されておらず、第二の状態に移行している場合（ステップ７１６の「はい」）、上述のステップ７２０に移行する。ステップ３１６において第一筐体２００が未だに収納されている場合、制御部２２０は、レリーズボタン３０２が操作されたにも関わらず第二の状態に移行しないことを表示部２３４の第一表示領域２３４Ａに表示するなどする（ステップ７１８）。
【００５３】
ステップ７２０の後、ユーザが手動で第一筐体２００を押し込んで第二筐体３００内に収納するなどすると（ステップ７２２の「はい」）、制御部２２０はこれを検知し、動作フローは再びステップ７０４に戻る。移動通信端末１００が引き続き第二の状態にある場合（ステップ７２２の「いいえ」）、制御部２２０は、所定時間ごとに検出部２３２を起動して端末の状態を確認してもよい（ステップ７１４）。
【００５４】
移動通信端末１００の動作フローの他の一例を図８及び図９に示す。図８及び図９の動作フローは、所定の機能の実行が指示されたことに応答して、第一筐体２００が第二筐体３００から押し出されて第二の状態に移行したり、第一筐体２００が第二筐体３００内に収納されて第一の状態に移行したりする様子を示している。
【００５５】
移動通信端末１００の電源が入力され（ステップ８０２）、ユーザが所定のキー操作を行ったり所定のメニューを選択したりすることによって（ステップ８０４）、ＲＡＭ２２８に格納されているデータのうち表示部２３４の全面を用いて表示すべきデータの表示を指示すると（ステップ８０６の「はい」）、制御部２２０はこれを検知して検出部２３２を起動する（ステップ８０８）。第一筐体２００が収納されている場合（ステップ８１０の「はい」）、検出部２３２はその旨を示す信号を制御部２２０に送信する。制御部２２０はレリーズボタン３０２を作動させるなどして端末のスライド機構を動作させる（ステップ８１２）。第一筐体２００が押し出されて端末が第二の状態に移行した後、制御部２２０は、表示部２３４の全面、すなわち第一表示領域２３４Ａ及び第二表示領域２３４Ｂを駆動し、バックライト２３６Ａ乃至２３６Ｄの全てを作動させる（ステップ８１４）。その上で、制御部２２０はユーザの指示に基づいてＲＡＭ２２８に格納された所定のデータを表示部２３４に表示する。ステップ８１０において第一筐体２００が収納されておらず、端末１００が第二の状態にある場合には、検出部２３２はその旨を示す信号を制御部２２０に送信する。その後制御部２２０はステップ８１４に進んで上述の動作を行う。
【００５６】
この状態で端末１００に対して他の操作がなされずレリーズボタン３０２が押下されない限り（ステップ８１６の「いいえ」）、表示部２３４は上記データを表示し続ける。一方、ユーザが当該データの閲覧や編集を終えて手動で第一筐体２００を押し込んで第二筐体３００内に収納するなどすると（ステップ８１６の「はい」）、制御部２２０はこれを検知してデータをＲＡＭ２２８に格納する（ステップ８１８）。第一筐体２００は第二筐体３００内に収納されて端末１００は第一の状態に戻る（ステップ８２０）。ここでは、第一筐体２００の収納を手動で行うものと仮定して説明した。しかし、移動通信端末１００が電動式のスライド機構を有していれば、ボタン３０２の押下に応答して制御部２２０が当該スライド機構を作動させて第一筐体２００の収納を自動的に行うことも可能である。
【００５７】
ユーザがブラウザソフトの起動を指示した場合（ステップ８２２の「はい」）、制御部２２０は検出部２３２を起動する（ステップ８２４）。検出部２３２は、第一筐体２００が収納されていることを検出すると（ステップ８２６の「はい」）、その旨を示す信号を制御部２２０に送信する。制御部２２０はレリーズボタン３０２を作動させるなどして端末１００のスライド機構を動作させる（ステップ８２８）。第一筐体２００が押し出されて端末１００が第二の状態に移行した後、制御部２２０は、ステップ８１４と同様に第一表示領域２３４Ａ及び第二表示領域２３４Ｂを駆動し、全てのバックライトをＯＮ状態とする。その上で、制御部２２０はユーザの指示に基づいてインターネットへの接続作業及びブラウザソフトウェアの起動を行う（ステップ８３０）。ステップ８２６において第一筐体２００が収納されておらず、端末１００が第二の状態にある場合には、直接ステップ８３０に進むことになる。
【００５８】
この状態で端末１００に対して他の操作がなされずレリーズボタン３０２が押下されない限り（ステップ８３２の「いいえ」）、ブラウザが立ち上がったままの状態が保たれる。一方、ブラウザソフトウェアの使用を終えたユーザが手動で第一筐体２００を押し込んで第二筐体３００内に収納するなどすると（ステップ８３２の「はい」）、制御部２２０はこれを検知してブラウザソフトウェアを終了する（ステップ８３４）。第一筐体２００は第二筐体３００内に収納されて端末１００は第一の状態に戻る（ステップ８３６）。
【００５９】
ユーザが所定のキーを押下したり所定のメニューを選択したりすることにより、端末１００に付属のカメラの起動を指示した場合（ステップ９０２の「はい」）、制御部２２０は検出部２３２を起動する（ステップ９０４）。検出部２３２は、第一筐体２００が収納されていることを検出すると（ステップ９０６の「はい」）、その旨を示す信号を制御部２２０に送信する。制御部２２０はレリーズボタン３０２を作動させるなどして端末１００のスライド機構を動作させる（ステップ９０８）。第一筐体２００が押し出されて端末１００が第二の状態に移行した後、制御部２２０は、ステップ４１４と同様に第一表示領域２３４Ａ及び第二表示領域２３４Ｂを駆動し、全てのバックライトをＯＮ状態とする（ステップ９１０）。その上で、制御部２２０はカメラ機能の起動を行う（ステップ９１０）。ステップ９０６において第一筐体２００が収納されておらず、端末１００が第二の状態にある場合には、直接ステップ９１０に進むことになる。
【００６０】
この状態で端末１００に対して他の操作がなされずレリーズボタン３０２が押下されない限り（ステップ９１２の「いいえ」）、カメラが起動されたままの状態が保たれる。一方、カメラの使用を終えたユーザが手動で第一筐体２００を押し込んで第二筐体３００内に収納するなどすると（ステップ４９１２「はい」）、制御部２２０はこれを検知してカメラ機能を終了する（ステップ９１４）。第一筐体２００は第二筐体３００内に収納されて端末１００は第一の状態に戻る（ステップ９１６）。
【００６１】
他にも、大画面表示を必要とする操作の指示がなされれば（ステップ９１８）、端末１００は上述のようにして第二の状態に移行して指示された機能を起動する（ステップ９２０）。例えば、小画面表示時にユーザが電子メール作成メニューを選択すると、これに応じて端末１００は第二の状態に移行する。また、小画面表示時において、受信した電子メール中に含まれるＲＳＳ（Rich Site Summary）情報をユーザが画面上で選択すると、これに応じて端末１００は第二の状態に移行し、ブラウザが自動的に起動する。
【００６２】
以上、本明細書においては、本発明を移動通信端末に適用した場合の実施例を詳細に説明した。しかし、本発明はこれに限定されるものではない。液晶表示部などの表示部を有する携帯オーディオ・プレーヤや携帯ゲーム機などの携帯電子機器に対しても本発明を同様に適用可能であることは当業者にとって明らかであろう。
【図面の簡単な説明】
【００６３】
【図１】本発明の一実施例の移動通信端末の外観斜視図である。
【図２】本発明の一実施例の移動通信端末の内部構造のブロック図である。
【図３】第一筐体が第二筐体内に収納された状態を示す模式図である。
【図４】第一筐体が第二筐体から押し出された状態を示す模式図である。
【図５】ＬＣＤパネル組み立て部の構成を示す図である。
【図６】ＬＣＤパネルのバックライトの制御を行うための構成を示す図である。
【図７】移動通信端末の動作フローの一例を示す図である。
【図８】移動通信端末の動作フローの他の一例を示す図である。
【図９】移動通信端末の動作フローの他の一例を示す図である。
【図１】
2008263332.tif 000003
【図２】
2008263332.tif 000004
【図３】
2008263332.tif 000005
【図４】
2008263332.tif 000006
【図５】
2008263332.tif 000007
【図６】
2008263332.tif 000008
【図７】
2008263332.tif 000009
【図８】
2008263332.tif 000010
【図９】
2008263332.tif 000011